(57)【要約】【課題】透過型スクリーンを構成するレンチキュラーレンズを有する部材と、フレネルレンズを有する部材との対向面に隙間が生じないようにするとともに、運搬時にレンチキュラーレンズ面とフレネルレンズ面の対向部分に生じる傷や破損を防止する。【解決手段】レンチキュラーレンズを有する部材とフレネルレンズを有する部材が対向して配置された透過型スクリーンにおいて、レンチキュラーレンズを有する部材とフレネルレンズを有する部材との間に接着部材を設けて接着部材を硬化させることにより、レンチキュラーレンズを有する部材と、フレネルレンズを有する部材とが一体化された透過型スクリーンとする。また、レンチキュラーレンズを有する部材と、フレネルレンズを有する部材の一方の表面に凸状部を設け、凸状部の先端部と他方の部材との間に接着部材を設けるようにしてもよい。【選択図】図６
2007264570.tif 000002
【特許請求の範囲】
【請求項１】
レンチキュラーレンズを有する部材と、フレネルレンズを有する部材とを少なくとも備えた透過型スクリーンにおいて、
上記レンチキュラーレンズを有する部材と上記フレネルレンズを有する部材との間に接着部材が設けられたことを特徴とする透過型スクリーン。
【請求項２】
上記レンチキュラーレンズを有する部材のレンチキュラーレンズ面と上記フレネルレンズを有する部材のフレネルレンズ面とが対向して配置されたことを特徴とする請求項１に記載の透過型スクリーン。
【請求項３】
上記レンチキュラーレンズを有する部材のレンチキュラーレンズ面と上記フレネルレンズを有する部材のフレネルレンズ面の裏面とが対向して配置されたことを特徴とする請求項１に記載の透過型スクリーン。
【請求項４】
上記接着部材が、感光性樹脂であることを特徴とする請求項１に記載の透過型スクリーン。
【請求項５】
上記接着部材は、上記レンチキュラーレンズを有する部材と上記フレネルレンズを有する部材との少なくとも一方に、一定または不規則な間隔で設けられたことを特徴とする請求項１に記載の透過型スクリーン。
【請求項６】
上記レンチキュラーレンズを有する部材および上記フレネルレンズを有する部材のいずれか一方が板状であり、他方がシート状であることを特徴とする請求項１に記載の透過型スクリーン。
【請求項７】
上記板状を有する上記レンチキュラーレンズを有する部材および上記フレネルレンズを有する部材のいずれかは、樹脂板を有することを特徴とする請求項６に記載の透過型スクリーン。
【請求項８】
上記板状を有する上記レンチキュラーレンズを有する部材および上記フレネルレンズを有する部材のいずれかは、ガラス板を有することを特徴とする請求項６に記載の透過型スクリーン。
【請求項９】
上記レンチキュラーレンズおよび上記フレネルレンズのいずれか一方の表面に凸状部が設けられ、上記凸状部の先端部と他方のレンズとの間に接着部材が設けられたことを特徴とする請求項１に記載の透過型スクリーン。
【請求項１０】
上記凸状部が、一定または不規則な間隔で設けられることを特徴とする請求項９に記載の透過型スクリーン。
【請求項１１】
レンチキュラーレンズを有する部材およびフレネルレンズを有する部材の少なくとも一方の表面に接着部材を設ける工程と、
上記レンチキュラーレンズを有する部材と上記フレネルレンズを有する部材とを接着部材を介して重ね合わせる工程と、
上記接着部材を硬化させる工程と
を備えることを特徴とする透過型スクリーンの組み立て方法。
【請求項１２】
上記レンチキュラーレンズを有する部材および上記フレネルレンズを有する部材のいずれか一方が板状、他方がシート状であり、
板状の部材にシート状の部材を沿わせるようにして重ね合わせることを特徴とする請求項１１に記載の透過型スクリーンの組み立て方法。
【請求項１３】
上記接着部材が、上記レンチキュラーレンズおよび上記フレネルレンズのいずれか一方の表面に設けられた凸状部の先端部に設けられたことを特徴とする請求項１１に記載の透過型スクリーンの組み立て方法。
【請求項１４】
上記接着部材が、ローラ転写方式により設けられたことを特徴とする請求項１３に記載の透過型スクリーンの組み立て方法。
【請求項１５】
画像を投影するプロジェクタと、
上記プロジェクタから投影された画像を表示する透過型スクリーンとを備え、
上記透過型スクリーンは、レンチキュラーレンズを有する部材と、フレネルレンズを有する部材とを少なくとも備え、上記レンチキュラーレンズを有する部材と上記フレネルレンズを有する部材との間に接着部材が設けられたことを特徴とする画像表示装置。
【請求項１６】
上記レンチキュラーレンズを有する部材のレンチキュラーレンズ面と上記フレネルレンズを有する部材のフレネルレンズ面とが対向して配置されたことを特徴とする請求項１５に記載の画像表示装置。
【請求項１７】
上記レンチキュラーレンズを有する部材のレンチキュラーレンズ面と上記フレネルレンズを有する部材のフレネルレンズ面の裏面とが対向して配置されたことを特徴とする請求項１５に記載の画像表示装置。
【請求項１８】
上記レンチキュラーレンズを有する部材および上記フレネルレンズを有する部材のいずれか一方が板状であり、他方がシート状であることを特徴とする請求項１５に記載の画像表示装置。
【請求項１９】
上記レンチキュラーレンズおよび上記フレネルレンズのいずれか一方の表面に凸状部が設けられ、上記凸状部の先端部と他方の部材との間に接着部材が設けられたことを特徴とする請求項１５に記載の画像表示装置。
【請求項２０】
少なくとも一方の面にレンチキュラーレンズを有する第１および第２のレンチキュラーレンズシートを備え、
上記第１および第２のレンチキュラーレンズシートの間に接着部材が設けられたことを特徴とする光学フィルム。
【請求項２１】
照明光を出射する照明装置と、
上記照明装置から出射された照明光に基づき情報を表示する液晶パネルとを備え、
上記照明装置は、
光を出射する光源と、
上記光源から出射された光を正面方向に集光するための光学フィルムとを備え、
上記光学フィルムは、
少なくとも一方の面にレンチキュラーレンズを有する第１および第２のレンチキュラーレンズシートを備え、
上記第１および第２のレンチキュラーレンズシートの間に接着部材が設けられたことを特徴とする液晶表示装置。
【発明の詳細な説明】
【技術分野】
【０００１】
この発明は、透過型スクリーンおよびその組み立て方法、画像表示装置、ならびに光学フィルムおよび液晶表示装置に関する。詳しくは、レンチキュラーレンズを有する透過型スクリーンおよびその組み立て方法、透過型スクリーンを用いた画像表示装置、ならびに光学フィルムおよび液晶表示装置に関する。
【背景技術】
【０００２】
背面投影型プロジェクションテレビに用いる透過型スクリーンは、一般的に、観察者側に設けられたレンチキュラーシートと光源側に設けられたフレネルレンズシートとの組み合わせにより構成されている。
【０００３】
フレネルレンズシートは、小型プロジェクタからの投影光を略平行光とし、レンチキュラーシートに出射する。レンチキュラーシートは、フレネルレンズシートで略平行光とされた投影光を、レンチキュラーの特性により、水平方向に広げ、観察者側に表示光として出射する。
【０００４】
レンチキュラーシートは、光が入射する側の面にレンチキュラーレンズを有し、光を出射する側の面に黒顔料を含む遮光層を有する。この遮光層には、レンチキュラーレンズにより集光された光が照射される部分にだけ開口部が設けられている。
【０００５】
遮光層の開口部は以下のようにして形成される。まず、紫外線感光樹脂粘着層をレンチキュラーシートのレンズ側と逆側に貼り合わせ、レンズ側から紫外線を入射させて、レンズにより紫外線を集光させる。これにより、紫外線感光樹脂粘着層のうち集光部のみが感光されて、粘着性が失われる。そして、黒顔料が含有された転写フィルムを貼合し、剥離することで、非集光部のみに遮光層が形成される。
【０００６】
また、レンチキュラーシートには、観察者側に垂直方向に表示光を広げるための拡散シートが配置されており、上述のレンチキュラーシートとこの拡散シートの組み合わせにより表示光の広がりが制御される。すなわち、縦、横方向に表示光を広げるために複数枚のシートが用いられている。
【０００７】
レンチキュラーシートは横方向にレンズ形状を有するシリンドリカルレンズが並べられた形状であることが一般的であるが、このシリンドリカルレンズを用いた上述の遮光層の開口部の形成方法では、線状の開口部および非遮光部を形成することしかできない。したがって、遮光部の面積を増加させ、コントラストを向上させることは困難である。
【０００８】
そこで、コントラストの改善を目的として、このレンチキュラーシートをフライアイレンズで構成することが提案されている。このフライアイレンズの加工方法としては、レーザ加工が挙げられる。近年、レーザ加工技術の開発が進められ、大面積のフライアイレンズシートを量産するプロセス技術が検討されている。
【０００９】
ところで、従来のレンズシートの製造方法としては以下のものがある。（１）シリンドリカルレンズシートの製造方法としては、柱状の金属ローラ上に切削加工を施し、この彫刻ローラを賦型ローラとしてインラインでシートを製造する方法がある。（２）フレネルレンズシートの製造方法としては、金型ローラ上に切削加工が難しいため、平面状に切削加工を施して型を作製し、この型を用いた平面プレスにより枚葉にてシートを製造する方法が用いられている。（３）プリズムレンズシートの製造方法としては、（１）のシリンドリカルレンズシートの製造方法と同様に、柱状の金属ローラ上に切削加工を施し、この彫刻ローラを賦型ローラとしてインラインでシートを製造する方法がある。
【００１０】
レンチキュラーシートとフレネルレンズシートは、それぞれ対向するようにして重ねて配置される。透過型スクリーンを組み立てる際には、たとえば、透過型スクリーンの構成として、以下のような構成例が挙げられる。
【００１１】
図１に、透過型スクリーンの構成の一例を示す。透過型スクリーン１は、観察者側に設けられたレンチキュラーシート１０と、光源側に設けられたフレネルレンズシート２０との組み合わせにより構成されている。
【００１２】
レンチキュラーシート１０は図中のＹで示す光源側から順に、フライアイレンズシート１１と、このフライアイレンズシート１１の観察者側となる面に設けられた感光性粘着層１２と、この感光性粘着層１２上に設けられた遮光層１３と、遮光層１３上に設けられた拡散層１４と、拡散層１４上に設けられたガラス板１５と、ガラス板１５上に設けられたアンチグレア・ハードコート層（以下、ＡＧ・ＨＣ層と適宜称する。）１６とを有し、それぞれが粘着層１７（１７ａ，１７ｂ，１７ｃ）により貼り合わされている。
【００１３】
フライアイレンズシート１１は、フライアイレンズ１１ａとたとえばポリエチレンテレフタレート（ＰＥＴ）からなる支持体１１ｂとを有する。また、拡散層１４も拡散剤層１４ａとＰＥＴ等からなる支持体１４ｂとを有する。
【００１４】
ＡＧ・ＨＣ層１６は、透過型スクリーン１の保護およびコントラストの向上などを図るためのものである。ＡＧ・ＨＣ層１６は、例えば、ハードコート樹脂中にシリカ粒子などの微粒子を分散したハードコート剤１６ａを、支持体１６ｂ上に塗布・硬化することにより形成される。
【００１５】
フレネルレンズシート２０は、ＰＥＴ等からなる支持体２１ｂ上にフレネルレンズ２１ａが設けられ、支持体２１ｂの光源側に粘着層２３を介して貼り合わされたガラス板２２とを有している。
【００１６】
このような構成の透過型スクリーン１は、透過型スクリーン１を構成するレンチキュラーシート１０とフレネルレンズシート２０とが、それぞれ剛性および自立した平面性を得ることができるガラス板１５およびガラス板２２を有しているため、図２に示すようにテレビ枠等の固定部材２を用いて透過型スクリーンを組み立てた場合でも安定した面接触状態を得ることができる。
【００１７】
ところで、ガラス板は高価であるため、背面投影型プロジェクションテレビの低価格機種ではガラス板の代替として樹脂板を使用している。また、図３に一例を示すように、フレネルレンズシート２０においてはガラス板の代替として樹脂板２４を用い、レンチキュラーシート１０においては拡散剤を混入した樹脂板１８を用いることにより、部品点数を削減する構成としてもよい。なお、フレネルレンズシート２０には、モアレ防止を目的とした拡散層が設けられる場合もある。
【００１８】
しかしながら、ガラス板の代替として樹脂板を用いた構成の透過型スクリーンでは樹脂板の剛性がガラス板ほど高くはないため、レンチキュラーレンズシート１０とフレネルレンズシート２０の接触面の平面性が保たれない。このため、図４に示すように、透過型スクリーンを組み立てた場合にいわゆる浮き不良が発生してしまう。
【００１９】
そこで、以下の特許文献１には、レンチキュラーシートおよびフレネルレンズシートのような透過型スクリーンを構成するレンズ部材の少なくとも一方に反りを設けることにより、レンチキュラーシートおよびフレネルレンズシートの間に浮き不良が発生しないようにした透過型スクリーンの製造方法が記載されている。
【００２０】
【特許文献１】特開２００４−２９５０２号公報
【００２１】
図５に示すように、この特許文献１では、レンチキュラーシート１０およびフレネルレンズシート２０の少なくとも一方の少なくとも中央部近傍付近に、他方のレンズシートに対して凸状となるように非球面形状の曲率を持つ反りを設けてから透過型スクリーン１を組み立てることにより、浮き不良が発生することなく透過型スクリーンを作製することができる。特許文献１では、レンズ部材に反りを設けるために反り成形型を用い、反り成形型にレンズ部材を配置した後、熱プレス成型を行う方法が示されている。
【発明の開示】
【発明が解決しようとする課題】
【００２２】
しかしながら、上述の方法を用いた場合、運搬時等の振動によりレンチキュラーシートとフレネルレンズシートの対向面部分に傷や破損が生じるおそれがある。このような傷や破損が生じた場合、光学特性の劣化等が生じる。振動による傷や破損のような問題は、樹脂板を用いた透過型スクリーンのみでなく、ガラス板を用いた透過型スクリーンであっても生じるおそれがある。
【００２３】
また、温度や湿度が変化することにより反り量が大きく変化して浮きが発生する場合もあり、信頼性に欠くのが現状である。
【００２４】
上記問題点に鑑み、この発明の第１の目的は、振動によるレンチキュラーシートとフレネルレンズシートの対向面部分における傷や破損を防止することができる透過型スクリーンおよびその組み立て方法、画像表示装置を提供することにある。
【００２５】
また、この発明の第２の目的は、レンチキュラーシートとフレネルレンズシート間に浮きが生じるのを防止することができる透過型スクリーンおよびその組み立て方法、画像表示装置を提供することにある。
【００２６】
また、この発明の第３の目的は、振動による第１のレンチキュラーシートおよび第２のレンチキュラーシートの対向面部分における傷や破損を防止することができる光学フィルムおよび液晶表示装置を提供することにある。
【００２７】
また、この発明の第４の目的は、第１のレンチキュラーシートおよび第２のレンチキュラーシート間に浮きが生じるのを防止することができる光学フィルムおよび液晶表示装置を提供することにある。
【課題を解決するための手段】
【００２８】
上記課題を解決するために、第１の発明は、レンチキュラーレンズを有する部材と、フレネルレンズを有する部材とを少なくとも備えた透過型スクリーンにおいて、
レンチキュラーレンズを有する部材とフレネルレンズを有する部材との間に接着部材が設けられたことを特徴とする透過型スクリーンである。
【００２９】
第２の発明は、レンチキュラーレンズを有する部材およびフレネルレンズを有する部材の少なくとも一方の表面に接着部材を設ける工程と、
レンチキュラーレンズを有する部材とフレネルレンズを有する部材とを接着部材を介して重ね合わせる工程と、
接着部材を硬化させる工程と
を備えることを特徴とする透過型スクリーンの組み立て方法である。
【００３０】
第３の発明は、画像を投影するプロジェクタと、
プロジェクタから投影された画像を表示する透過型スクリーンとを備え、
透過型スクリーンは、レンチキュラーレンズを有する部材と、フレネルレンズを有する部材とを少なくとも備え、レンチキュラーレンズを有する部材とフレネルレンズを有する部材との間に接着部材が設けられたことを特徴とする画像表示装置である。
【００３１】
第４の発明は、少なくとも一方の面にレンチキュラーレンズを有する第１および第２のレンチキュラーレンズシートを備え、
第１および第２のレンチキュラーレンズシートの間に接着部材が設けられたことを特徴とする光学フィルムである。
【００３２】
第５の発明は、照明光を出射する照明装置と、
照明装置から出射された照明光に基づき情報を表示する液晶パネルとを備え、
照明装置は、
光を出射する光源と、
光源から出射された光を正面方向に集光するための光学フィルムとを備え、
光学フィルムは、
少なくとも一方の面にレンチキュラーレンズを有する第１および第２のレンチキュラーレンズシートを備え、
第１および第２のレンチキュラーレンズシートの間に接着部材が設けられたことを特徴とする液晶表示装置である。
【００３３】
第１、第２および第３の発明では、レンチキュラーレンズとフレネルレンズとの間に接着部材を設けることにより、レンチキュラーレンズを有する部材と、フレネルレンズを有する部材とを一体化させた透過型スクリーンを得ることができる。
【００３４】
また、第４および第５の発明では、第１および第２のレンチキュラーレンズシートの間に接着部材を設けることにより、第１および第２のレンチキュラーレンズシートを一体化させた光学フィルムを得ることができる。
【発明の効果】
【００３５】
この発明によれば、組み立て後の透過型スクリーンにおいて、運搬時等にレンチキュラーレンズとフレネルレンズの対向部分に生じやすい傷や破損を防止することができる。また、レンチキュラーレンズを有する部材と、フレネルレンズを有する部との間に隙間が生じるのを防ぐことができる。
【００３６】
また、第１および第２のレンチキュラーレンズシートを備えたレンチキュラーレンズ体からなる光学フィルムにおいて、運搬時等に第１および第２のレンチキュラーレンズシート間に生じやすい傷や破損を防止することができる。また、第１および第２のレンチキュラーレンズシート間に隙間が生じるのを防ぐことができる。
【発明を実施するための最良の形態】
【００３７】
以下、この発明の実施形態について図面を参照しながら説明する。なお、以下の実施形態の全図においては、同一または対応する部分には同一の符号を付す。
【００３８】
（１）第１の実施形態
［背面投影型の画像表示装置の全体構成］
図６は、この発明の第１の実施形態による背面投影型の画像表示装置の構成の一例を示す模式図である。この背面投影型の画像表示装置は、プロジェクタ３１および透過型スクリーン３２とを備え、プロジェクタ３１から投影された画像を、透過型スクリーン３２を透過させて表示するものである。
【００３９】
プロジェクタ３１は、映像を透過型スクリーン３２に拡大投影するものである。このプロジェクタ３１としては、例えば液晶表示素子またはデジタルライトプロセッシング（ＤＬＰ（登録商標））素子などをライトバルブとしたものを用いることができる。また、液晶表示素子を備えるプロジェクタ３１としては、例えば、透過型液晶表示素子または反射型液晶表示素子を備えるものを用いることができる。
【００４０】
［透過型スクリーンの全体構成］
この実施形態による透過型スクリーン３２は、プロジェクタ３１からの投射光を略平行光として出射する作用を持つ、フレネルレンズを有する部材の一例であるフレネルレンズシート５０と、このフレネルレンズシート５０から出射された平行光を受け、水平方向および垂直方向に広げ、表示光として出射する作用を持つ、レンチキュラーレンズを有する部材の一例である遮光層付フライアイレンズシート４０とを備える。この透過型スクリーン３２は、フレネルレンズシート５０がプロジェクタ３１の側となり、遮光層付フライアイレンズシート４０が観察者側となるようにして配置される。透過型スクリーン３２は、例えば縦５００ｍｍ×横９００ｍｍの大きさの長方形状を有する。
【００４１】
フレネルレンズシート５０の観察者側となる面にはフレネルレンズ５１ａが設けられている。一方、フレネルレンズシート５０のプロジェクタ側となる面は平面状とされている。また、遮光層付フライアイレンズシート４０のプロジェクタ１側となる面にはフライアイレンズシート４１が設けられている。一方、遮光層付フライアイレンズシート４０の観察者側となる面には遮光層１５が設けられている。これらのフレネルレンズシート５０と遮光層付フライアイレンズシート４０とは、それぞれのレンズ部が互いに向かい合うように配置され、フレネルレンズシート５０と遮光層付フライアイレンズシート４０との間には接着部材である接着剤６０が設けられている
【００４２】
以下、遮光層付フライアイレンズシート４０およびフレネルレンズシート５０の構成について、より具体的に説明する。
【００４３】
［フレネルレンズシートの構成］
フレネルレンズシート５０は、フィルム５１ｂ上一面に、フレネルレンズ５１ａが設けられたものである。フィルム５１ｂとしては、透明性を有するプラスチックなどの材料からなるフィルムを用いることができ、例えばポリエチレンテレフタレート（ＰＥＴ）フィルムを用いることができる。フレネルレンズ５１ａは、例えば、フレネルレンズシート５０の中心からプリズムが同心円状に配された構成を有する。このフレネルレンズ５０ａの作製方法としては、公知の作製方法を用いることができ、例えば、紫外線硬化性樹脂により作製する方法を用いることができる。
【００４４】
なお、フレネルレンズシート５０には、モアレ防止を目的とした拡散層が設けられているが、この実施形態においては図示しない。
【００４５】
［遮光層付フライアイレンズシートの構成］
遮光層付フライアイレンズシート４０は、フライアイレンズシート４１と、このフライアイレンズシート４１の観察者側となる面に設けられた感光性粘着層４２と、この感光性粘着層４２上に設けられた遮光層４３と、この遮光層４３上に設けられた拡散層４４と、拡散層４４上に設けられた基板４５と、この基板４５上に設けられたＡＧ・ＨＣ層４６とを備える。遮光層付フライアイレンズシート４０は、例えば縦５００ｍｍ×横９００ｍｍの大きさの長方形状を有する
【００４６】
フライアイレンズシート４１は、支持体であるフィルム４１ｂと、プロジェクタ３１側となる面に設けられたフライアイレンズ４１ａとを有する。アンチグレア・ハードコート層（以下、ＡＧ・ＨＣ層と適宜称する。）４６は、支持体であるフィルム４６ｂの観察者側となる面に、シリカ粒子等の微粒子を分散させたハードコート剤４６ａを塗布したものである。このようなフィルム４１ｂおよび４６ｂは、透明性を有するプラスチックなどの材料からなるフィルムを用いることができ、例えばＰＥＴフィルムを用いることができる。
【００４７】
拡散層４４は、フライアイレンズ４１ａにより集光された光を拡散するためのものであり、公知の拡散シートを用いることができる。この拡散層４４としては、たとえば支持体であるフィルム４４ｂの観察者側となる面に拡散剤４４ａを塗布したものを用いることができる。また、基板４５は、例えばガラス板もしくは樹脂板が用いられる。
【００４８】
図７Ａは、遮光層付フライアイレンズシート４０のプロジェクタ側の外観を示す斜視図である。図７Ｂは、遮光層付フライアイレンズシート４０の観察者側の外観を示す斜視図である。図７Ａおよび図７Ｂに示すように、遮光層付フライアイレンズシート４０の横方向にｘ軸を設定し、遮光層付フライアイレンズ１０の縦方向にｙ軸を設定し、遮光層付フライアイレンズ１０の厚さ方向にｚ軸を設定する。なお、図７Ｂでは、遮光層４３の構成の説明を容易とするために、拡散層４４、基板４５およびＡＧ・ＨＣ層４６の図示を省略している。
【００４９】
フライアイレンズシート４０は、フレネルレンズシート５０から出射された平行光を集光するためのものである。感光性粘着層４２は、後述するように、遮光層４３を形成するときに用いられるものである。遮光層４３は、外光を吸収して透過型スクリーン３２のコントラストを向上させるためのものである。
【００５０】
図７Ａに示すように、遮光層付フライアイレンズシート４０のプロジェクタ側となる面には、複数のフライアイレンズ４１ａが稠密されている。なお、各フライアイレンズ４１ａ上に付された「＋」の印は、レンズの頂点の位置を示す。
【００５１】
図７Ｂに示すように、遮光層４３には、プロジェクタ側となる面に設けられたフライアイレンズ５１ａと対応する位置に透過部４３ａが設けられている。この透過部４３ａは、遮光層４３に設けられた開口部であり、この透過部４３ａを介してフライアイレンズ４１ａにより集光された光が観察者側に向けて出射される。
【００５２】
図８Ａは、フライアイレンズの一例を示す平面図である。図８Ａに示すように、フライアイレンズ４１ａは、遮光層付フライアイレンズシート４０に対して垂直な方向から見ると、正方形または長方形などの四角形状を有する。複数のフライアイレンズ４１ａは、ｘ軸方向およびｙ軸方向に周期的に配列されてなる稠密アレイを構成している。ｘ軸方向のレンズピッチは、好ましくは３５μｍ以上１５０μｍ以下に設定され、例えば１００μｍに設定される。ｙ軸方向のレンズピッチは、好ましくは３５μｍ以上１５０μｍ以下に設定され、例えば６０μｍに設定される。３５μｍ未満であると、集光部があまりにも小さくなってしまうため、透過部４３ａの形成が困難となってしまう。また、１５０μｍを越えると、モアレの発生が懸念される。
【００５３】
また、図８Ｂは、フライアイレンズ４１ａの裏面に設けられた遮光層の一例を示す平面図である。図８Ｂに示すように、遮光層４３に設けられた複数の透過部４３ａは、ｘ軸方向およびｙ軸方向に周期的に配されている。透過部４３ａは、フライアイレンズ４１ａの形状に応じた形状を有し、具体的には、フライアイレンズ４１ａの形状と相似した形状またはほぼ相似した形状を有する。例えば、図８Ａに示すように、フライアイレンズ４１ａが四角形状を有する場合には、透過部４３ａの形状は図８Ｂに示すような四角形状またはほぼ四角形状に設定される。
【００５４】
また、図９Ａに示すように、レンズの配置はハニカム状でも良い。この場合は、遮光層に設けられた複数の透過部４３ａは、図９Ｂに示すように、ハニカム状に設定される。
【００５５】
［遮光層付フライアイレンズシートの製造方法］
観察者側に配置される遮光層付フライアイレンズシートの製造方法は、（ａ）レーザ加工により母型を作製する母型の作製工程と、（ｂ）電鋳により賦型を作製する賦型の作製工程と、（ｃ）成形ローラによりフライアイレンズシートを作製するレンズシートの作製工程、（ｄ）フライアイレンズシート上に遮光層を形成する遮光層の作製工程とを備える。
【００５６】
遮光層付フライアイレンズシートの製造方法の一例を以下の順序で説明する。
（ａ）母型の作製工程
（ｂ）賦型の作製工程
（ｃ）レンズシートの作製工程
（ｄ）遮光層の作製工程
【００５７】
（ａ）母型の作製工程
まず、フライアイレンズシート４０を作製するための母型の作製工程について説明する。ここでは、レーザ光を使用したマスクイメージング法を用いて、円筒状の被加工物を加工することにより、母型を作製する場合を例として説明する。レーザ加工を施すためのレーザ加工機としては、例えばベルギーＯＰＴＥＣ社製精密レーザ加工機ＭＡＳ−３００を使用することができる。
【００５８】
まず、レーザ加工に用いられるマスクについて説明する。図１０は、レーザ加工に用いられるマスクの一例を示す模式図である。図１０に示すように、マスクには、複数の開口部が設けられている。これらの複数の開口部は、複数の行および／または列をなすよう設けられている。このマスクの開口部を介してレーザ光を被加工物の一面に照射して、マスク像を形成することにより、レーザ光のエネルギーにより被加工物が加工される。
【００５９】
開口部の形状は、球面または非球面状の溝を形成できるように選ばれる。このような形状を形成できる開口部の形状としては、例えば半円形状または爪状の形状を挙げることができる。なお、マスクの開口が半円形状または爪状の形状を有する場合には、この半円形状または爪状などの湾曲した辺の側またはそれとは反対の側に対してマスク像を移動するようにする。このようにすることで、マスク像を一方向に向かって移動させた場合に、マスク像の中心部が通過する位置に対してより多くのレーザ光を照射することができる。すなわち、球面または非球面状の溝を形成することができる。マスクの材料としては、例えばレーザ光の照射に対して耐えることができるものが選ばれ、例えば金属が選ばれる。
【００６０】
また、図１０に示すようなマスクのみでなく、レーザ照射系の移動方向に対して垂直な方向に複数の開口部を有し、レーザ照射系の移動方向に対して一つの開口部を有するようなマスク等も用いることができる。このようなマスクの場合、開口部の形状は、レーザ照射系の移動方向に対して長い半円形状または爪状の形状とすることができる。
【００６１】
被加工物の材料としては、公知のプラスチック材料を用いることができる。具体的には、たとえばポリイミド（ＰＩ）、ポリエステル、ポリスチレン、ポリメチルメタクリレート（ＰＭＭＡ）およびポリカーボネート等が挙げられる。プラスチックの耐熱性、ガラス転移点により加工性や加工後の表面形状が変化するため、加工条件に応じて適宜選択することが可能であり、好ましくはポリカーボネート（ＰＣ）を用いることができる。
【００６２】
このような被加工物の表面上に、レーザ照射系を移動させる。レーザ照射系には、被加工物を所望の形状に加工するためのマスクが装着されている。
【００６３】
まず、レーザ照射系を被加工物の縦方向の一端部に配置し、縦方向に向かって移動させて被加工物の表面にマスク像を形成する。これにより、被加工物の縦方向に向かうストライプ状の溝が形成される。次いで、レーザ照射系を被加工物の横方向の一端部に移動させ、横方向に向かって移動させて被加工物の表面にマスク像を形成する。これにより、目的とする母型が得られる。
【００６４】
図１１Ａは、上述のようにして得られた母型の一部の形状を示す模式図である。図１１Ｂは上述のようにして得られた母型の一部を拡大して示す模式図である。図１１Ａおよび図１１Ｂに示すように、母型の表面には、上述のフライアイレンズ４１ａの形状に対応したたとえば縦６０μｍ×横１００μｍの複数の凹部が、縦方向および横方向に周期的に配設されている。
【００６５】
また、図１２Ａ〜図１２Ｇは、賦型を作製するまでの工程を示す模式図である。図１２Ａは、被加工物７１を模式的に示す断面図であり、図１２Ｂは、上述のようにマスクを介してレーザ光を照射することにより得られた母型７２を模式的に示す断面図である。
【００６６】
（ｂ）賦型の作製工程
次に、この発明の一実施形態による賦型の作製工程について、図１２Ｃ〜図１２Ｇを用いて説明する。まず、図１２Ｃに示すように、上述のようにして得られた母型７２の凹部形成面に対して下地処理として導電化処理を行い、導電化膜７３ａを形成する。導電化処理としては、例えば無電解メッキまたはスパッタリングを用いることができる。ここで、導電化膜は、例えばニッケルなどの金属からなる金属被膜である。
【００６７】
次に、導電化処理が施された母型７２を電鋳装置に搬送し、図１２Ｄに示すように、母型７２の表面に形成された導電化膜７３ａ上にニッケルメッキ層などの金属メッキ層７３ｂを形成する。その後、図１２Ｅに示すように、母型７２から金属メッキ層７３ｂを剥離することにより、母型７２とは反対の凹凸パターンを有する複製母型７３が得られる。
【００６８】
さらに、図１２Ｆに示すように、例えば電鋳により複製母型７３の表面上に、ニッケルメッキ層などの金属メッキ層７４を形成する。その後、複製母型７３から金属メッキ層７４を剥離することにより、図１２Ｇに示すような、複製母型７３とは反対の凹凸パターンを有する賦型７５が得られる。
【００６９】
（ｃ）シートの製造工程
次に、図１３Ａ〜図１３Ｃを参照しながら、フライアイレンズシートの作製工程について説明する。フライアイレンズシート４１は、上述のようにして作製した賦型７５を用い、樹脂に微細形状を転写することによりを作製することができる。
【００７０】
フライアイレンズを形成する樹脂材料としては、透光性を有すものであれば特に限定されない。また、製造の容易性の点から光により硬化できる感光性樹脂、電子線より硬化できる電子線効果樹脂、熱により硬化できる感熱性樹脂が望ましい。中でも、紫外線の照射により硬化することが可能な紫外線硬化性樹脂を用いるのが特に好ましい。
【００７１】
紫外線硬化性樹脂を用いる場合、まず図１３Ａに示すように、賦型７５上に紫外線硬化性樹脂７６を塗布し、透明な支持体であるフィルム４１ｂを被せる。次いで、図１３Ｂに示すようにフィルム４１ｂ側から紫外線を照射して硬化させ、賦型７５を剥離することにより、図１３Ｃに示すような、フィルム４１ｂ上にフライアイレンズ４１ａが形成されたフライアイレンズシート４１が作製される。
【００７２】
紫外線硬化性樹脂７６としては、たとえばウレタンアクリレート、エポキシアクリレート、ポリエステルアクリレート、ポリオールアクリレート、ポリエーテルアクリレート、メラミンアクリレートのアクリレート系樹脂、またはポリエステル樹脂、ポリ塩化ビニル、ポリウレタン、シリコン樹脂等を用いることができる。
【００７３】
また、フィルム４１ｂとしては、たとえばポリエステル、ポリエチレンテレフタレート、ポリイミド、ポリアミド、アラミド、ポリエチレン、ポリアクリレート、ポリエーテルスルフォン、トリアセチルセルロース、ポリスルフォン、ジアチルセルロース、ポリプロピレン、ポリ塩化ビニル、ポリカーボネート、エポキシ樹脂、尿素樹脂、ウレタン樹脂、メラミン樹脂など、従来用いられている樹脂フィルムの中から適宜選択して用いることができる。
【００７４】
また、熱可塑性樹脂を用い、熱プレスする方法、熱により溶融した樹脂を賦型で冷却しながら硬化させる溶融押し出し法などによりフライアイレンズシート４１を作製することもできる。なお、この場合は支持基材となるフィルムは用いなくてもよい。
【００７５】
熱可塑性樹脂としては、アラミド、ポリカーボネート、ポリメタクリレート樹脂に代表されるアクリル樹脂、ポリエステル樹脂、ポリスチレン樹脂、ポリ塩化ビニル等を用いることができる。
【００７６】
（ｄ）遮光層の作製工程
次に、図１４Ａ〜図１４Ｅを参照しながら、上述のようにして得られたフライアイレンズシート４１に対する遮光層４３の作製工程について説明する。まず、図１４Ａに示すように、上述のようにして作製されたフライアイレンズシート４１のレンズ側とは反対側の平坦面に、例えば紫外線感光樹脂粘着層などの感光性粘着層４２を形成する。この感光性粘着層４２の形成方法としては、例えば、フィルム４１ｂの表面に感光性粘着剤を直接塗布する方法、感光性粘着層４２を支持基材上に剥離可能に形成し、この感光性粘着層４２をフィルム４１ｂの表面に貼り合わせて、支持基材を剥離する方法などが挙げられる。
【００７７】
感光性粘着層４２を構成する材料としては、少なくとも１つの有機重合体からなる熱粘着性の結合剤、エチレン性不飽和を有する光重合性化合物、１つの光重合開始剤を主成分とするものを用いることができる。
【００７８】
上述の有機合成体からなる熱粘着性の結合剤は、上述の各成分と相溶性であることが望ましい。一般的な有機重合体の例としては、ポリ塩化ビニル、ポリ（メタ）アクリル酸、ポリ（メタ）アクリル酸エステル、ポリビニルエーテル、ポリビニルアセタール、ポリウレタン樹脂、エポキシ樹脂、ポリアミド、ポリエステル、塩化ビニリデン−アクリルニトリル共重合体、塩化ビニリデン−メタクリレート共重合体、塩化ビニリデン−酢酸ビニル共重合体、セルロース誘導体、ポリオレフィン、ジアリルフタレート樹脂、各種合成ゴム、例えばブタジエン−アクリルニトリル共重合体などを挙げることができる。
【００７９】
光重合化合物としてはラジカル重合が可能なエチレン性不飽和を有する、付加重合または架橋可能な公知モノマー、オリゴマー、ポリマーを制限することなく使用することができる。例えばビニル基、またはアクリル基を有するモノマー、オリゴマーまたは末端また側鎖にエチレン性不飽和基を有するポリマーである。その例としては例えばアクリル酸およびその塩、アクリル酸エステル類、アクリルアミド類、メタクリル酸及びその塩、メタクリル酸エステル類、メタクリルアミド類、無水マレイン酸、マレイン酸エステル類、イタコン酸エステル類、スチレン類、ビニルエーテル類、ビニルエステル類、Ｎ-ビニル複素環類、アクリルエーテル類、アクリルエステル類、およびこれらの誘導体などを挙げることができる。具体的な化合物としては、（メタ）アクリル酸、メチル（メタ）アクリレート、ブチル（メタ）アクリレート、シクロヘキサン（メタ）アクリレート、ジメチルアミノメチル（メタ）アクリレート、カルビトール（メタ）アクリレート、２−エチルへキシル（メタ）アクリレート、ラウリル（メタ）アクリレート、２−ヒドロキシエチル（メタ）アクリレート、２−ヒドロキシプロピル（メタ）アクリレート、（メタ）アクリルアミド、N-メチロール（メタ）アクルアミド、スチレン、アクリルニトリル、N-ビニルピロリドン、エチレングリコール（メタ）アクリレート、トリエチレングリコールジ（メタ）アクリレート、プロピレングリコールジ（メタ）アクリレート、トリプロピレングリコールジ（メタ）アクリレート、ペンタエリスリトールジ（メタ）アクリレート、ブタンジオールジ（メタ）アクリレート、ヘキサンジオールジ（メタ）アクリレート、ノナンジオールジ（メタ）アクリレート、ネオペンチルグリコールジ（メタ）アクリレート、トリメチロールプロパントリ（メタ）アクリレート、ジトリメチロールプロパンテトラ（メタ）アクリレート、ペンタエリスリトールトリ（メタ）アクリレート、ペンタエリスリトールテトラ（メタ）アクリレート、ジペンタエリスリトールテトラ（メタ）アクリレート、ジペンタエリスリトールペンタ（メタ）アクリレート、トリエチレングリコールジビニルエーテルヒドロキシプチルビニルエーテル、ウレタン（メタ）アクリレート、ポリエステル（メタ）アクリレート、エポキシ（メタ）アクリレートなどが好適に使用でき、これらの化合物は１種または２種以上を混合して用いることができる。
【００８０】
前記材料成分の混合比は概ね、有機重合体からなる熱粘着性の結合剤２０〜８０ｗｔ％、ラジカル重合可能なエチレン性不飽和結合を有する光重合性化合物２０〜８０ｗｔ％である。
【００８１】
次に、図１４Ｂに示すように、未硬化状態の感光性粘着層４２に、フライアイレンズ４１ａの側から紫外線（ＵＶ平行光）を照射する。これにより、フライアイレンズ４１ａにより紫外線が集光部４２ａに集光されて、感光性粘着層４２のうち集光部４２ａの感光性粘着層４２が硬化される。すなわち、集光部４２ａの感光性粘着層４２は粘着性が失われる。これに対して、紫外線が集光されない非集光部４２ｂの感光性粘着層４２は、粘着性が維持される。
【００８２】
次に、図１４Ｃに示すように、感光性粘着層４２上に、黒色転写フィルム４８の黒色層４８ａを貼り合わせた後、支持基材４８ｂを剥離する。これにより、図１４Ｄに示すように、黒色層４８ａのうち集光部４２ａに対応する部分が、支持基材４８ｂと共に剥離されて、例えば、四角形状またはほぼ四角形状を有する透過部４３ａが黒色層４８ａに形成される。以上により、図１４Ｅに示すように、遮光層４３が観察者側となる面にる。
【００８３】
黒色転写フィルム４８は樹脂とカーボンブラックを混合した塗料を、支持基材４８ｂに塗工することにより得られる。
【００８４】
上述のカーボンブラックとしては、市販のカーボンブラックを使用することができる。例えば、三菱化成社製の＃９８０Ｂ、＃８５０Ｂ、ＭＣＦ８８Ｂ、＃４４Ｂ、キャボット社製のＢＰ−８００、ＢＰ−Ｌ、ＲＥＧＡＬ−６６０、ＲＥＧＡＬ−３３０、コロンビヤンカーボン社製のＲＡＶＥＮ−１２５５、ＲＡＶＥＮ−１２５０、ＲＡＶＥＮ−１０２０、ＲＡＶＥＮ−７８０、ＲＡＶＥＮ−７６０、デグサ社製のＰｒｉｎｔｅｘ−５５、Ｐｒｉｎｔｅｘ−７５、Ｐｒｉｎｔｅｘ−２５、Ｐｒｉｎｔｅｘ−４５、ＳＢ−５５０等がある。これらを単独、あるいは混合して使用することができる。
【００８５】
カーボンブラックと配合するバインダー樹脂としては、変成または非変成の塩化ビニル樹脂、ポリウレタン樹脂、フェノキシ樹脂、ポリエステル樹脂等を使用でき、この他、セルロースアセテートブチレート等のセルロースエステルも使用できる。また、特定の使用方式を有する熱可塑性樹脂、熱硬化性樹脂、反応型樹脂、電子線照射硬化型樹脂等を用いてもよい。
【００８６】
塗料におけるカーボンブラックの含有量は４５ｗｔ％以上７５ｗｔ％以下が好ましい。含有量カーボンが７５ｗｔ％を超える場合は、樹脂に対してカーボンが過剰となり、カーボンブラックが脱落する。集光部への脱落及び、転写工程で工程内で脱落し、汚れとなり望ましくない。またカーボンブラックの含有量が４５ｗｔ％に満たない場合は、樹脂が過剰となるため塗膜強度が強く、集光部と非集光部の境界に倣い、塗膜が切れず、非集光部に付着すべき黒色層４８ａが不足する。あるいは集光部に黒色層４８ａが残存することが起きる。非集光部の黒色層４８ａの不足、集光部への黒色層４８ａの残存は、スクリーンのコントラスト低下及び投影像が欠けるため望ましくない。カーボン含有量は６０ｗｔ％以上７０ｗｔ％以下とするのが最も好ましい。
【００８７】
黒色層４８ａには、カーボンブラックとバインダー樹脂の他に、必要に応じて有機顔料、無機顔料などの添加剤を含有させることができる。
【００８８】
黒色層４８ａとなる塗料の形成は上述した各成分と必要に応じて溶剤とを常法により攪拌機で混合し、支持基材４８ｂに塗布し、乾燥あるいは硬化すればよい。
【００８９】
上述の塗料の支持基材４８ｂとしては、公知のプラスチックフィルムを用いることが可能である。必要に応じて、プラスチックフィルム表面に離型層を形成し、プラスチックフィルムと黒色層４８ａとの剥離強度を調整することが可能である。
【００９０】
黒色層４８ａの厚みは０．５μｍ以上、２．０μｍ以下が好ましい。厚みが０．５μｍに満たない場合は黒色濃度が低下し、外光を十分に遮断することができない。また、濃度ムラが顕著となり望ましくない。厚みが２．０μｍを超える場合は、感光粘着層に黒色層４８ａを貼合し加圧した際に塗膜にひび割れが生じ望ましくない。黒色層４８ａの厚みは０．７μｍ以上、１．２μｍ以下が最も好ましい。
【００９１】
なお、開口パターンを有する遮光層４３の形成方法は、上述の方法に限定されるものではない。たとえば、レンズ集光面に全面形成した遮光層４３をレンズ側からレーザ照射して、アブレーションにより自己整合開口する方法や、予め決められたサイズを有する開口を印刷法やエッチング法により形成する方法等も用いることができる。
【００９２】
また、溶融押し出しにより、図１５に示すような、一方の面にレンズを形成し、レンズ側と反対の裏面の非集光部に対応する部分に突出部４９ａを設け、集光部に対応する部分に溝４９ｂを設けたフライアイレンズシート４９ｃを作製した後、この突出部４９ａのみに黒色の印刷を施すことにより遮光層４３を形成する方法を用いることもできる。
【００９３】
この後、遮光層４３上に拡散機能を有するシート状の拡散層４４を貼り合わせ、さらに剛性を有する基板４５を貼り合せる。最後に、アンチグレアおよびハードコート機能を有するＡＧ・ＨＣ層４６を基板４５に貼り合せる事により、遮光層付フライアイレンズシート４０が作製される。
【００９４】
［透過型スクリーン組み立て工程］
上述のようにして作製した遮光層付フライアイレンズシート４０とフレネルレンズシート５０とを、それぞれのレンズ面が対向するようにして重ねる。このとき、図１６Ａに示すように、遮光層付フライアイレンズシート４０のフライアイレンズ４１ａ上に、ある一定の間隔、もしくは不規則な間隔で接着部材である接着剤６０を点状に塗布する。接着剤６０の塗布間隔は、スクリーンとしての品質を考慮して調整する。
【００９５】
次いで、図１６Ｂに示すように、遮光層付フライアイレンズシート４０とフレネルレンズシート５０とを接着剤６０を介して重ね合わせた後、接着剤６０を硬化してスクリーンを一体化させる。フレネルレンズシート５０は剛性のないシート状であるため、フレネルレンズシート５０が遮光層付フライアイレンズシート４０に沿うようにして重ね合わせた後、接着剤６０を硬化してスクリーンを一体化することにより、良好な面接触状態を得ることができる。
【００９６】
接着剤６０としては、スクリーンとしての機能を阻害しないよう透光性を有し、遮光層付フライアイレンズシート４０またはフレネルレンズシート５０を確実に一体化することができる材料であればいずれも用いることができ、たとえばアクリル樹脂等を用いることができる。また、製造の容易性の点から遮光層付フライアイレンズシート４０およびフレネルレンズシート５０を重ね合わせてから硬化させることができる紫外線硬化性樹脂を用いるのが好ましい。
【００９７】
たとえば、フライアイレンズのレンズピッチを約１００μｍとした場合、現状では１画素がフライアイレンズ４１ａのレンズ１６個分（縦４×横４）で表示される。接着剤６０の塗布により画素表示能力を低下させないように、接着剤６０の塗布個所が１画素あたり１点以下となるように間隔を調整する。接着剤６０の塗布面積は、１つのフライアイレンズ内に抑えられるように塗布量および粘度を調整する。
【００９８】
接着剤６０が１つのレンズ上に塗布されるように構成し、接着剤が塗布されたレンズ自体が１００％機能しなくなった場合、１画素の表示エリアの画素表示能力は約６％の機能低下となる。しかしながら、接着剤６０としては透明な樹脂を用いるため、接着剤が塗布されたレンズが１００％機能しなくなるということはない。また、接着剤６０の塗布径をたとえば５０μｍと小さくすることにより、１〜２％程度の機能低下に抑えることができる。
【００９９】
さらに、遮光層付フライアイレンズシート４０とフレネルレンズシート５０とを安定して一体化させるためには、たとえば１０ｍｍ程度の間隔毎に接着剤６０を設けてもよい。すなわち、１画素毎に接着剤６０を設ける必要はないため、画像表示能力の機能低下はさらに小さくなる。
【０１００】
なお、一定の間隔で接着剤６０を設けた場合に光学的なむらが発生する可能性がある場合は、その間隔が不規則となるように制御して接着剤６０を設けるようにする。
【０１０１】
上述の接着剤を設ける方法としては、インクジェット方式、スクリーン印刷など、種々の方法を用いることができる。接着剤６０は、上述のように遮光層付フライアイレンズシート４０上に設ける他、フレネルレンズシート５０に設けるか、もしくは遮光層付フライアイレンズシート４０およびフレネルレンズシート５０の両方に設けても良い。
【０１０２】
このように、遮光層付フライアイレンズシート４０とフレネルレンズシート５０とを接着剤６０にて一体化する構成とすることにより、運搬時の損傷や、遮光層付フライアイレンズシート４０とフレネルレンズシート５０間の浮きを防止した透過型スクリーン３２を組み立てることができる。
【０１０３】
基板４５としてガラス板を用いた場合、ガラス板は剛性が高く、平面性が高い。このため、図１７Ａに示すように、透過型スクリーン３２を平面性を損なうことなく組み立てることができる。
【０１０４】
また、基板４５として樹脂板を用いた場合、樹脂板が完全に平面でない場合もある。このような場合には、外観上の問題等から図１７Ｂに示すように、観察者側から見て凹状になるように構成する方が好ましい。このような形状であっても、遮光層付フライアイレンズシート４０とフレネルレンズシート５０とを接着剤６０にて一体としているため、浮きが発生するおそれが少ない。
【０１０５】
以上、遮光層付フライアイレンズシート４０とフレネルレンズシート５０の作製方法について説明したが、接着剤により遮光層付フライアイレンズシート４０とフレネルレンズシート５０とが一体化された透過型スクリーン３２とすることにより、フレネルレンズシート５０の基板を省いて構成することが可能となった。これにより、生産コストの削減および生産工程の簡略化を図ることができる。
【０１０６】
このような構成の場合、基板を用いないレンズシートが、基板を用いたレンズシートに沿うようにして重ね合わせた後、接着剤６０を硬化してスクリーンを一体化するため、良好な面接触状態を得ることができる。また、スクリーン組み立て後に基板に反りが発生した場合であっても、基板を用いないレンズシートが反りに追随することができ、浮きを防止することができる。
【０１０７】
また、従来のように、フライアイレンズシートまたはフレネルレンズシートを反り付ける方法を用いる場合、それぞれ別に反りを設けられた樹脂板を用いてレンズ部材を作製し、組み立てを行うため、お互いの反りの程度にばらつきがあると透過型スクリーンを平面にすることが困難となる。反り付けの方法としては、熱プレス成型、熱ローラによる成型等、数種類の成型方法が挙げられるが、ばらつきを抑え均一に反りを設ける方法は未だ確立されていない。これに対し、この発明を適用した透過型スクリーンでは、特に基板４５としてガラス板を設けた場合において、高い平面性を有する。このため、背面投影型プロジェクションテレビ等の画像表示装置の外観に優れ、観察者側から見て、てかりが生じるのを防止することができる。
【０１０８】
なお、図６に示す画像表示装置の透過型スクリーン３２において、基板４５として樹脂板を用いる場合、図１８に示すように、拡散層４４を設けず、拡散剤を混入させた樹脂板４５´を用いてもよい。このような構成とした場合、さらに生産工程の簡略化を図ることができる。
【０１０９】
図１９に、透過型スクリーン３２における水平方向（横方向）の拡散特性（輝度分布）を示す。また、図２０に、透過型スクリーン３２における垂直方向（縦方向）の拡散特性（輝度分布）を示す。なお、図２０において、約−２０度以下の領域で輝度分布が無くなっているのは、測定条件によるものであり、透過型スクリーン３２の性能とは何ら関係ない。
【０１１０】
図１９から、透過型スクリーン３２の垂線方向で輝度が最も高く、垂線から水平方向にずれるに従って輝度が徐々に低下することが分かる。また、図２０から、透過型スクリーン３２の垂線方向で輝度が最も高く、垂線から垂直方向にずれるに従って輝度が徐々に低下することが分かる。すなわち、図１９および図２０から、１枚のフライアイレンズシートにより水平方向と垂直方向に広く光を拡散し、それに異方性があることが分かる。
【０１１１】
（２）第２の実施形態
次に、第２の実施形態について説明する。この発明の第１の実施形態では、基板を用いた遮光層付フライアイレンズシート４０と、基板を用いないシート状のフレネルレンズシート５０とを一体化させた透過型スクリーンについて説明したが、第２の実施形態では、図２１に示すように、遮光層付フライアイレンズシート４０と、フレネルレンズシート５０のそれぞれに基板を用いた構成について説明する。
【０１１２】
なお、第２の実施形態は、フレネルレンズシートの構成と透過型スクリーン組み立て工程の一部以外は、上述の第１の実施形態と同様であるため、以下ではフレネルレンズシートの構成と透過型スクリーン組み立て工程について説明する。
【０１１３】
［フレネルレンズシートの構成］
フレネルレンズシート５０は、基板５３と、フレネルレンズ５１ａが一面に設けられたフィルム５１ｂとを備え、この基板５３とフィルム５１ｂとが接着層５２を介して接着されている。基板５３としては、透明性を有する材料から成るものが用いられ、例えばガラス板もしくは樹脂板が用いられる。
【０１１４】
［透過型スクリーン組み立て工程］
作製した遮光層付フライアイレンズシート４０とフレネルレンズシート５０とを、それぞれのレンズ面が対向するようにして重ねる。このとき、遮光層付フライアイレンズシート４０のフライアイレンズ４１ａ上に、ある一定の間隔、もしくは不規則な間隔で接着部材である接着剤６０を点状に塗布する。接着剤６０の塗布間隔は、スクリーンとしての品質を考慮して調整する。次いで、遮光層付フライアイレンズシート４０とフレネルレンズシート５０とを接着剤６０を介して重ね合わせた後、接着剤６０を硬化してスクリーンを一体化させる。
【０１１５】
このようにして透過型スクリーン３２を作製することにより、運搬時の損傷や、遮光層付フライアイレンズシート４０とフレネルレンズシート５０間の浮きを防止した透過型スクリーン３２を組み立てることができる。
【０１１６】
なお、図２２に示すように、第１の実施形態と同様に、遮光層付フライアイレンズシート４０の拡散層４４を設けず、拡散剤を混入させた樹脂板４５´を用いる構成としてもよい。
【０１１７】
（３）第３の実施形態
次に、第３の実施形態について説明する。第３の実施形態では、図２３に示すように、基板を用いない遮光層付フライアイレンズシート４０と、基板を用いたフレネルレンズシート５０を一体化させた透過型スクリーン３２の構成について説明する。
【０１１８】
なお、第３の実施形態は、背面投影型の画像表示装置の全体構成と透過型スクリーンの構成は第１の実施例と同様であるため、説明を省略する。
【０１１９】
［フレネルレンズシートの構成］
フレネルレンズシート５０は、基板５３と、フレネルレンズ５１ａが一面に設けられたフィルム５１ｂとを備え、この基板５３とフィルム５１ｂとが接着層５２を介して接着されている。基板５３としては、透明性を有する材料から成るものが用いられ、例えばガラス板もしくは樹脂板が用いられる。
【０１２０】
［遮光層付フライアイレンズシートの構成］
遮光層付フライアイレンズシート４０は、フライアイレンズシート４１と、このフライアイレンズシート４１の観察者側となる面に設けられた感光性粘着層４２と、この感光性粘着層４２上に設けられた遮光層４３と、この遮光層４３上に設けられた拡散層４４と、拡散層４４上に設けられたＡＧ・ＨＣ層４６とを備える。遮光層付フライアイレンズシート４０は、例えば縦５００ｍｍ×横９００ｍｍの大きさの長方形状を有し、基板を用いないため剛性を有しない。
【０１２１】
フライアイレンズシート４１、ＡＧ・ＨＣ層４６、拡散層４４は、第１の実施形態と同様の構成・材料を用いることができる。
【０１２２】
［遮光層付フライアイレンズシートの製造方法］
フライアイレンズシート４１およびフライアイレンズシート４１の裏面に設けられた遮光層４３の製造方法は、第１の実施形態と同様とする。この遮光層４３上に、拡散機能を有するシート状の拡散層４４を貼り合わせた後、基板４５を貼り合わせず、ＡＧ・ＨＣ層４６を拡散層４４に貼り合せる事により、遮光層付フライアイレンズシート４０が作製される。
【０１２３】
［透過型スクリーン組み立て工程］
上述のようにして作製した遮光層付フライアイレンズシート４０とフレネルレンズシート５０とを、それぞれのレンズ面が対向するようにして重ねる。このとき、遮光層付フライアイレンズシート４０のフライアイレンズ４１ａ上に、ある一定の間隔、もしくは不規則な間隔で接着部材である接着剤６０を点状に塗布する。接着剤６０の塗布間隔は、スクリーンとしての品質を考慮して調整する。
【０１２４】
次いで、遮光層付フライアイレンズシート４０とフレネルレンズシート５０とを接着剤６０を介して重ね合わせた後、接着剤６０を硬化してスクリーンを一体化させる。遮光層付フライアイレンズシート４０は剛性のないシート状であるため、遮光層付フライアイレンズシート４０がフレネルレンズシート５０に沿うようにして重ね合わせた後、接着剤６０を硬化してスクリーンを一体化することにより、良好な面接触状態を得ることができる。
【０１２５】
なお、フレネルレンズシート５０において基板５３を用いる場合には、フィルム５１ｂを省き、フレネルレンズ５１ａを直接基板５３に貼り付けることも可能である。
【０１２６】
このような構成とすることにより、第１および第２の実施形態と同様に、運搬時の損傷や、遮光層付フライアイレンズシート４０とフレネルレンズシート５０間の浮きを防止した透過型スクリーン３２を組み立てることができる。
【０１２７】
（４）第４の実施形態
次に、第４の実施形態について説明する。この発明の第１、第２および第３の実施形態では、フライアイレンズ４１ａ上に接着剤を塗布し、フレネルレンズ５１ａと一体化する透過型スクリーンについて説明したが、第４の実施形態では、図２４に示すように、レンズ上の一部に凸状部８２を設けたフライアイレンズ８１ａを用い、この凸状部８２とフレネルレンズ５１ａとを一体化する透過型スクリーンについて説明する。
【０１２８】
遮光層付フライアイレンズシート８０の製造方法および、透過型スクリーンの組み立て時における遮光層付フライアイレンズシート８０とフレネルレンズシート５０との貼り合わせ方法以外は上述の第１の実施形態と同様であるので、以下では遮光層付フライアイレンズシート８０の製造方法および遮光層付フライアイレンズシート８０とフレネルレンズシート５０との貼り合わせ方法について説明する。
【０１２９】
［遮光層付フライアイレンズシートの製造方法］
観察者側に配置される遮光層付フライアイレンズシートの製造方法は、（ａ）レーザ加工により母型を作製する母型の作製工程と、（ｂ）電鋳により賦型を作製する賦型の作製工程と、（ｃ）成形ローラによりフライアイレンズシートを作製するレンズシートの作製工程、（ｄ）フライアイレンズシート上に遮光層を形成する遮光層の作製工程とを備える。
【０１３０】
遮光層付フライアイレンズシートの製造方法の一例を以下の順序で説明する。
（ａ）母型の作製工程
（ｂ）賦型の作製工程
（ｃ）レンズシートの作製工程
（ｄ）遮光層の作製工程
【０１３１】
（ａ）母型の作製工程
まず、図２５Ａ〜図２５Ｃにより、フライアイレンズシート８０を作製するための母型の作製工程について説明する。ここでは、レーザ光を使用したマスクイメージング法を用いて、被加工物を加工することにより、母型を作製する場合を例として説明する。この作製工程で用いるレーザ加工機、マスクおよび被加工物は、上述の第１の実施形態と同様のものを用いるため、説明を省略する。
【０１３２】
まず、図２５Ａに断面図を示すような被加工物９１を準備する。この被加工物９１の縦方向の一端部にマスクが装着されたレーザ照射系を配置し、縦方向に向かって移動させて被加工物９１の表面にマスク像を形成する。これにより、被加工物９１の縦方向に向かうストライプ状の溝が形成される。次いで、レーザ照射系を被加工物９１の横方向の一端部に移動させ、横方向に向かって移動させて被加工物９１の表面にマスク像を形成する。図２５Ｂに示すように、このようにして得られた被加工物９１の表面には、第１の実施形態と同様の縦６０μｍ×横１００μｍの複数の凹部が、縦方向および横方向に周期的に配設されている。
【０１３３】
次いで、複数の凹部が縦方向および横方向に周期的に配設された被加工物９１上に、丸開口を有するマスクを用いてレーザ光を照射することにより、円筒状の溝を形成する。この円筒状溝は、５μｍ以下程度となるようにする。このようなマスクは、たとえば縦２４０μｍ×横４００μｍピッチで丸開口を有するものであり、丸開口の直径はたとえば５０μｍとされる。これにより、図２５Ｃに示すような断面形状の母型９２が得られる。
【０１３４】
なお、丸開口を有するマスクによって形成される円筒状の溝は、第２の実施形態においてフレネルレンズ５０と接着される凸状部８２を形成するためのものである。このため、接着部分の間隔を不規則にしたり、接着間隔を広く取るために、マスクの開口部の位置を変化させても構わない。
【０１３５】
（ｂ）賦型の作製工程
次に、図２５Ｄ〜図２５Ｈにより、この発明の第２の実施形態による賦型の作製工程について説明する。まず、図２５Ｄに示すように、上述のようにして得られた母型９２の凹部形成面に対して下地処理として導電化処理を行い、導電化膜９３ａを形成する。導電化処理の方法および導電化膜の材料は、第１の実施形態と同様のものを用いることができる。
【０１３６】
次に、導電化処理が施された母型９２を電鋳装置に搬送し、図２５Ｅに示すように、母型９２の表面に形成された導電化膜９３ａ上にニッケルメッキ層などの金属メッキ層９３ｂを形成する。その後、母型９２から金属メッキ層９３を剥離することにより、図２５Ｆに示すような母型９２とは反対の凹凸パターンを有する複製母型９３が得られる。
【０１３７】
さらに、図２５Ｇに示すように、例えば電鋳により複製母型９３の表面上に、ニッケルメッキ層などの金属メッキ層９４を形成する。その後、複製母型９３から金属メッキ層９４を剥離することにより、図２５Ｈに示すような、複製母型９３とは反対の凹凸パターンを有する賦型９５が得られる。
【０１３８】
（ｃ）シートの製造工程
次に、図２６Ａ〜図２６Ｃを参照しながら、フライアイレンズシートの作製工程について説明する。フライアイレンズシート８１は、上述のようにして作製した賦型９５を用い、樹脂に微細形状を転写することによりを作製することができる。
【０１３９】
フライアイレンズ８１ａを形成する樹脂材料としては、第１の実施形態と同様の材料を用いることができる。
【０１４０】
紫外線硬化性樹脂を用いる場合、まず図２６Ａに示すように、賦型９５上に紫外線硬化性樹脂９６を塗布し、透明な支持体であるフィルム８１ｂを被せる。次いで、図２６Ｂに示すようにフィルム８１ｂ側から紫外線を照射して硬化させ、賦型９５を剥離する。これにより、図２６Ｃに示すような、５μｍ以下程度の高さの凸状部８２を有するフライアイレンズ８１ａがフィルム８１ｂ上に形成されたフライアイレンズシート８１が作製される。
【０１４１】
紫外線硬化性樹脂９６およびフィルム８１ｂとしては、第１の実施形態と同様の材料を用いることができる。また、熱可塑性樹脂を用いてフライアイレンズシート８１を形成することも可能である。
【０１４２】
（ｄ）遮光層の作製工程
遮光層の作製工程については、上述の凸状部を有するフライアイレンズ８１ａを用いる以外は第１の実施形態と同様であるので、説明を省略する。また、遮光層作製以降の拡散層４４、基板４５、ＡＧ・ＨＣ層４６の形成方法についても第１の実施形態と同様であるため省略する。
【０１４３】
［透過型スクリーン組み立て工程］
図２７に示すように、上述のようにして作製した遮光層付フライアイレンズシート８０とフレネルレンズシート５０とを、それぞれのレンズ面が対向するようにして重ねる。このとき、フライアイレンズ８１ａ上に設けた凸状部８２上に接着剤６０を塗布し、遮光層付フライアイレンズシート８０とフレネルレンズシート５０とを重ね合せた後、接着剤を硬化して一体化された透過型スクリーン３２とする。凸状部８２の間隔は、スクリーンとしての品質を考慮して調整する。このように、凸状部８２を設けることにより、接着剤６０の濡れ広がりの状態や、フライアイレンズシート８０とフレネルレンズシート５０との間のスペースを安定させることができる。
【０１４４】
第４の実施形態において、上述の接着剤を設ける方法としては、第１の実施形態において説明した方法を用いることも可能であるが、図２８に示すようにローラ８３にて接着剤６０を転写するローラ転写方式を用いるのが好ましい。
【０１４５】
なお、第４の実施形態においてフライアイレンズ８１ａ上に円筒状の凸状部８２を設けたが、凸状部８２の形状は円筒形に限ったものではなく、対向するフレネルレンズ５０とのスペースを安定に保つことができる形状であればいずれの形状であっても用いることができる。また、凸状部８２の高さを調整することにより、スクリーンの上下方向、左右方向に若干の反りを持たせた透過型スクリーン３２とすることもできる。
【０１４６】
また、フライアイレンズ８１ａに設けられた凸状部８２の先端部が、集光部４２ａに焦点に合わせた曲面を持つようにしてフライアイレンズシート８１を構成しても良い。また、凸状部８２はフライアイレンズシート８１上でなく、フレネルレンズシート５０上に設けてもよい。
【０１４７】
さらに、遮光層付フライアイレンズシート８０、フレネルレンズシート５０は上述の構成に限ったものではなく、第１、第２および第３の実施形態のように、いずれか一方のレンズシートにガラス板もしくは樹脂板が用いられていればよい。
【０１４８】
（５）第５の実施形態
次に、この発明の第５の実施形態について説明する。第５の実施形態では、第４の実施形態と同様に、フライアイレンズ８１ａ上の一部に凸状部８２を設けたフライアイレンズ８０を用い、この凸状部８２とフレネルレンズ５１ａとを貼り合わせる透過型スクリーン３２について説明する。
【０１４９】
第５の実施形態においては、遮光層付フライアイレンズシート８０の製造方法以外は上述の第４の実施形態と同様であるので、以下では遮光層付フライアイレンズシート８０の製造方法について説明する。
【０１５０】
［遮光層付フライアイレンズシートの製造方法］
観察者側に配置される遮光層付フライアイレンズシートの製造方法は、（ａ）レーザ加工により母型を作製する母型の作製工程と、（ｂ）電鋳により賦型を作製する賦型の作製工程と、（ｃ）成形ローラによりフライアイレンズシートを作製するレンズシートの作製工程、（ｄ）フライアイレンズシート上に遮光層を形成する遮光層の作製工程とを備える。
【０１５１】
遮光層付フライアイレンズシートの製造方法の一例を以下の順序で説明する。
（ａ）母型の作製工程
（ｂ）賦型の作製工程
（ｃ）レンズシートの作製工程
（ｄ）遮光層の作製工程
【０１５２】
（ａ）母型の作製工程
まず、フライアイレンズシート８１を作製するための母型の作製工程について説明する。ここでは、レーザ光を使用したマスクイメージング法を用いて、円筒状の被加工物を加工することにより、母型を作製する場合を例として説明する。この作製工程で用いるレーザ加工機および被加工物は、上述の第１の実施形態と同様のものを用いるため、説明を省略する。
【０１５３】
まず、第５の実施形態において、レーザ加工に用いられるマスクについて説明する。図２９は、レーザ加工に用いられるマスクの一例を示す模式図である。図２９に示すように、マスクには、複数の開口部が設けられている。これらの複数の開口部は、複数の行および／または列をなすよう設けられている。このマスクの開口部を介してレーザ光を被加工物の一面に照射して、マスク像を形成することにより、レーザ光のエネルギーにより被加工物が加工される。
【０１５４】
開口部の形状は、第１ないし第４の実施形態で得られる球面または非球面状の溝と反転した溝が形成できるように選ばれる。なお、図２９のようなマスクを用いる場合も、開口部の直線状の部分またはそれとは反対の側に対して垂直にマスク像を移動するようにする。このようにすることで、マスク像を一方向に向かって移動させた場合に、マスク像の中心部が通過する位置に対してより多くのレーザ光を照射することができる。マスクの材料としては、レーザ光の照射に対して耐えることができるものが選ばれ、例えば金属が選ばれる。
【０１５５】
また、図２９に示すようなマスクのみでなく、レーザ照射系の移動方向に対して垂直な方向に複数の開口部を有し、レーザ照射系の移動方向に対して一つの開口部を有するようなマスク等も用いることができる。このようなマスクの場合、開口部の形状は、レーザ照射系の移動方向に対して長い半円形状または爪状の形状を反転させた形状とすることができる。
【０１５６】
図３０Ａ〜図３０Ｅにより、フライアイレンズシート８１を作製するための母型の作製工程について説明する。
【０１５７】
まず、図３０Ａに断面図を示すような被加工物１０１を準備する。次いで、この被加工物１０１上に、ディスペンサー等を用いて一定間隔で銀ペースト１０２を塗布する。このような銀ペースト１０２は、たとえば縦２４０μｍ、横４００μｍピッチで設けられ、銀ペースト１０２の直径はたとえば５０μｍとされる。続いて、図３０Ｃに示すように、被加工物上１０１にレーザ照射系を配置し、被加工物１０１の全面にレーザ光を照射することにより、円筒状の凸状部を形成した。
【０１５８】
次いで、図２９で示すマスクが装着されたレーザ照射系を、円筒状の凸状部が形成された被加工物１０１上に配置し、縦方向に向かって移動させて被加工物の表面にマスク像を形成する。これにより、円筒状の凸状部以外の部分に被加工物１０１の縦方向に向かうストライプ状の溝が形成される。次いで、レーザ照射系を被加工物１０１の横方向の一端部に移動させ、横方向に向かって移動させて被加工物１０１の表面にマスク像を形成する。このようにして得られた被加工物１０１の表面には、図３０Ｄに示すように、第１および第２の実施形態と反転した形状の複数の凸部が、縦方向および横方向に周期的に配設されている。最後に、銀ペースト１０２を除去することにより、図３０Ｅに示すような断面形状の母型１０３が得られる。
【０１５９】
なお、銀ペースト１０２を設けることによって得られる円筒状の凸状部は、第４の実施形態においてフレネルレンズ５０と接着される凸状部を形成するためのものである。このため、接着部分の間隔を不規則にしたり、接着間隔を広く取るために、銀ペースト１０２の位置を変化させても構わない。
【０１６０】
（ｂ）賦型の作製工程
次に、図３０Ｆ〜図３０Ｇにより、この発明の一実施形態による賦型の作製工程について説明する。まず、図３０Ｆに示すように、上述のようにして得られた母型１０３の凸部形成面に対して下地処理として導電化処理を行い、導電化膜１０４ａを形成する。導電化処理の方法および導電化膜１０４ａの材料は、第１の実施形態と同様のものを用いることができる。
【０１６１】
次に、導電化処理が施された母型１０３を電鋳装置に搬送し、図３０Ｇに示すように母型１０３の表面上にニッケルメッキ層などの金属メッキ層１０４ｂを形成する。その後、母型１０３から金属メッキ層１０４ｂを剥離することにより、図３０Ｈに示すような母型１０３とは反対の凹凸パターンを有する賦型１０４が得られる。
【０１６２】
（ｃ）シートの製造工程
シートの製造工程については、上述の賦型１０４を用いる以外は第４の実施形態と同様であるので、説明を省略する。
【０１６３】
（ｄ）遮光層の作製工程
遮光層の作製工程については、第４の実施形態と同様であるので、説明を省略する。また、遮光層作製以降の拡散層４４、基板４５、ＡＧ・ＨＣ層４６の形成方法についても第１の実施形態と同様であるため省略する。
【０１６４】
なお、第５の実施形態では、フライアイレンズ８１ａ上に凸状部８２を形成するために銀ペースト１０２を用いたが、レーザ加工のアブレーションしきい値が被加工物１０１の樹脂材料に対して充分高い材料であれば、銀ペースト１０２に限定されるものではない。また、たとえば金属膜をスパッタにより形成し、エッチング処理によりレーザマスクパターンを形成する方法を用いることもできる。
【０１６５】
また、遮光層付フライアイレンズシート８０、フレネルレンズシート５０は上述の構成に限ったものではなく、第１、第２および第３の実施形態のように、いずれか一方のレンズシートにガラス板もしくは樹脂板が用いられていればよい。
【０１６６】
この発明の第１ないし第５の実施形態によれば、第１の実施形態と同様の効果を得ることができる。
【０１６７】
（６）第６の実施形態
［液晶表示装置の全体構成］
図３１は、この発明の第６の実施形態による液晶表示装置の一構成例を示す模式的断面図である。図３１に示すように、この液晶表示装置２０１は、いわゆる透過型液晶表示装置であって、バックライト２０７および液晶パネル２０２を備える。なお、以下では、液晶表示装置２０１の表示画面となる側を表示面側と称し、それとは反対の側を背面側と称する。
【０１６８】
［液晶パネル］
液晶パネル２０２は、スペーサ２０５により所定間隔を離して対向配置された第１および第２の基板２０３，２０４と、第１および第２の基板２０３，２０４の間に液晶を注入してなる液晶層２０６とを備える。スペーサ２０５は、第１および第２の基板２０３，２０４の間を所定距離保持するためのものである。液晶層６を構成する液晶は、例えばネマティック液晶であり、透明電極２１３，２２２間に印加された電圧に応じてその配列を変化する。
【０１６９】
第１の基板２０３は、ガラス基板２２１と、ガラス基板２２１の一主面に順次積層された透明電極２２２、配向膜２２３と、ガラス基板２２１の他主面に順次積層された光学補償フィルム２２４、偏光子（偏光フィルム）２２５とを備える。第２の基板２０４は、ガラス基板２１１と、ガラス基板２１１の一主面に順次積層されたカラーフィルタ２１２、透明電極２１３、配向膜２１４と、ガラス基板２１１の他主面に順次積層された光学補償フィルム２１５、偏光子（偏光フィルム）２１６とを備える。
【０１７０】
透明電極２１３，２２２は、例えば、インジウムと錫との合金酸化物（ＩＴＯ：Indium Tin Oxide）である。配向膜２１４，２２３は、液晶分子を一定方向に並べるための膜であり、例えばポリイミドなどの高分子から構成される。
【０１７１】
カラーフィルタ２１２は、カラー表示をするためのものであり、ガラス基板２１１の一主面にマトリックス状にパターニングされた遮光膜（ブラックマトリックス）と、この遮光膜の開口部分、すなわち画素となる部分に対応して配列されたＲ（赤）、Ｇ（緑）、Ｂ（青）の各要素と、遮光膜および各要素を保護する保護膜とを備える。各画素は、例えばＲ（赤）、Ｇ（緑）、Ｂ（青）の３つのサブ画素からなり、そのサブ画素のサイズは画面サイズと画素数によるが、例えば、およそ数十ミクロン（３０〜９０μｍ）である。
【０１７２】
光学補償フィルム２１５，２２４は、屈折率を補償するためのフィルムであり、例えば、光学的に負の一軸性化合物を、配向角度が厚み方向で連続的に変化するように配列してなるフィルムである。具体的には例えば、支持体と、この支持体上に設けた配向膜と、その上に負の一軸性化合物である円盤状化合物をハイブリッド配向させた光学異方性層とから構成される。円盤状化合物としては、例えばディスコティック液晶タイプの化合物を使用できる。
【０１７３】
偏光子２１６，２２５は、入射する光のうち直交する偏光成分の一方のみを通過させ、他方を吸収または反射するフィルムであり、例えば、光学補償フィルム２１５，２２４上に透過軸が互いに直交するようにして配置される。
【０１７４】
［バックライト］
バックライト２０７は、照明装置の一例であって、反射シート２３１、光源２３２、拡散シート２３３、レンチキュラーレンズ体２３４および反射型偏光子２３５を備える。光源２３２は、例えば冷陰極管（ＣＣＦＬ：Cold Cathode Fluorescent Lamp）またはＬＥＤ(Light Emitting Diode)であり、液晶パネル２０２の直下に配置されている。ここでは、液晶パネル２０２の直下に光源２３２を配置する方式（直下式）の場合を例として示すが、バックライト２０７の方式はこの例に限られるものではなく、液晶パネル２０２の一端側（エッジ側）に冷陰極管またはＬＥＤなどの光源２３２を配置し、この光源２３２からの光を導光板を介して液晶パネル２０２全面に行き渡らせる方式（エッジ式）を用いてもよい。なお、液晶パネル２０２がテレビ用途などの大型液晶パネルである場合には、バックライト２０７を直下式とすることが好ましい。
【０１７５】
反射シート２３１は、バックライト２０７の下部に備えられ、入射する光を反射して、液晶パネル２０２の方向に向ける。拡散シート２３３は、入射する光を拡散するととともに、液晶パネル２０２の正面方向に向けるためのものである。
【０１７６】
レンチキュラーレンズ体２３４は、パネル前面への光の指向性を向上させるためのものである。レンチキュラーレンズ体２３４は、第１のレンチキュラーレンズシート２３４ａと、第２のレンチキュラーレンズシート２３４ｂとを重ね合わせてなる光学フィルムである。
【０１７７】
反射型偏光子２３５は、入射する光のうち直交する偏光成分の一方のみを透過させ、他方を反射するものであり、この反射型偏光子２３５は、光学異方性フィルムと光学等方性フィルムとを交互に積層してなる。このような反射型偏光子２３５としては、具体的には例えばＤＢＥＦ（Dual Brightness Enhancement Film）を用いることができる。この反射型偏光子２３５と偏光子２２５とは、例えば、透過軸が互いに平行になるように設けられる。
【０１７８】
［レンチキュラーレンズ体］
図３２に、レンチキュラーレンズ体２３４の一構成例を示す。レンチキュラーレンズ体２３４は、一方の面にレンチキュラーレンズを有し、他方の面を平滑面とした第１のレンチキュラーレンズシート２３４ａおよび第２のレンチキュラーレンズシート２３４ｂを備える。レンチキュラーレンズシート２３４ａおよび第２のレンチキュラーレンズシート２３４ｂは、レンチキュラーレンズが設けられた面が液晶パネル側となるように重ね合わされる。このレンチキュラーレンズシート２３４ａ、２３４ｂの間には、接着剤２３４ｃが設けられる。レンチキュラーレンズシート２３４ａ，２３４ｂとしては、例えばシリンドリカルレンズ、プリズムレンズなどの各種レンズを用いることができる。図３２では、レンチキュラーレンズシート２３４ａ，２３４ｂが、シリンドリカルレンズである場合を示している。接着剤２３４ｃおよびその塗布方法としては、上述の第１の実施形態と同様のものを用いることができる。
【０１７９】
上述のような構成のレンチキュラーレンズ体２３４からなる光学フィルムは、前述の透過型スクリーンと同様に、運搬時等に第１のレンチキュラーレンズシートおよび第２のレンチキュラーレンズシート間に生じやすい傷や損傷を防止することができ、また第１のレンチキュラーシートおよび第２のレンチキュラーシート間に浮きが生じるのを防止することができる。このため、この光学フィルムは高い光学特性を維持することができる。
【０１８０】
以上、この発明の各実施形態について具体的に説明したが、この発明は、上述の実施形態に限定されるものではなく、この発明の技術的思想に基づく各種の変形が可能である。
【０１８１】
例えば、上述の各実施形態において挙げた数値はあくまでも例に過ぎず、必要に応じてこれと異なる数値を用いてもよい。
【０１８２】
また、フライアイレンズの作製工程において、レンズの凹凸パターンに対応する微細形状が表面に設けられた円筒形状の賦型を作製し、この賦型を成形ローラとして用いてフライアイレンズを作製してもよい。この場合、樹脂材料からなる基材シートを成形ローラに圧着させ、基材シートと成形ローラとの間に紫外線硬化性樹脂を滴下して送り出す。これにより、基材シートと基材シートが圧着された成形ローラの円柱面との間に紫外線硬化性樹脂が塗布・充填される。次いで、紫外線を照射して硬化させ、成形ローラから剥離することにより、フライアイレンズを作製することができる。
【０１８３】
また、全反射タイプや全反射タイプと屈折のハイブリッドタイプのフレネルレンズなど、図３３に示すような、フレネルレンズシートのフレネルレンズがプロジェクタ側を向いた構成とすることもできる。
【図面の簡単な説明】
【０１８４】
【図１】従来の透過型スクリーンの構成の一例を示す模式図である。
【図２】従来の透過型スクリーンの構成の一例を示す模式図である。
【図３】従来の透過型スクリーンの構成の一例を示す模式図である。
【図４】従来の透過型スクリーンで発生するスクリーンの浮きの様子を示す模式図である。
【図５】特許文献１のスクリーン組み立て方法を示す模式図である。
【図６】この発明の第１の実施形態による背面投影型の画像表示装置の一構成例を示す模式図である。
【図７】この発明の第１の実施形態による遮光層付フライアイレンズシートの構成の一例を示す模式図である。
【図８】この発明の第１の実施形態によるフライアイレンズの構成の一例を示す模式図である。
【図９】この発明の第１の実施形態によるフライアイレンズの構成の一例を示す模式図である。
【図１０】この発明の第１の実施形態による、レーザ加工に用いられるマスクの構成の一例を示す模式図である。
【図１１】この発明の第１の実施形態による母型の一部の形状を示す模式図である。
【図１２】この発明の第１の実施形態による賦型の作製方法を示す模式図である。
【図１３】この発明の第１の実施形態によるフライアイレンズシートの作製方法を示す模式図である。
【図１４】この発明の第１の実施形態による遮光層の作製方法を示す模式図である。
【図１５】遮光層の作製方法の他の例を示す模式図である。
【図１６】この発明の第１の実施形態による透過型スクリーンの組み立て方法を示す模式図である。
【図１７】この発明の第１の実施形態による透過型スクリーンの組み立て後の構成を示す模式図である。
【図１８】この発明の第１の実施形態による背面投影型の画像表示装置の他の構成例を示す模式図である。
【図１９】この発明の第１の実施形態による透過型スクリーンの水平方向の拡散特性（輝度分布）を示すグラフである。
【図２０】この発明の第１の実施形態による透過型スクリーンの垂直方向の拡散特性（輝度分布）を示すグラフである。
【図２１】この発明の第２の実施形態による背面投影型の画像表示装置の一構成例を示す模式図である。
【図２２】この発明の第２の実施形態による背面投影型の画像表示装置の他の構成例を示す模式図である。
【図２３】この発明の第３の実施形態による背面投影型の画像表示装置の一構成例を示す模式図である。
【図２４】この発明の第４の実施形態による背面投影型の画像表示装置の一構成例を示す模式図である。
【図２５】この発明の第４の実施形態による賦型の作製方法を示す模式図である。
【図２６】この発明の第４の実施形態によるフライアイレンズシートの作製方法を示す模式図である。
【図２７】この発明の第４の実施形態による透過型スクリーンの組み立て方法を示す模式図である。
【図２８】この発明の第４の実施形態による接着剤の塗布方法を示す模式図である。
【図２９】この発明の第５の実施形態による、レーザ加工に用いられるマスクの構成の一例を示す模式図である。
【図３０】この発明の第５の実施形態による賦型の作製方法を示す模式図である。
【図３１】この発明の第６の実施形態による液晶表示装置の一構成例を示す模式図である。
【図３２】この発明の第６の実施形態によるレンチキュラーレンズ体の構成を示す模式図である。
【図３３】この発明の他の実施形態を示す模式図である。
【符号の説明】
【０１８５】
１，３２・・・透過型スクリーン
１０・・・レンチキュラーシート
１１，４１，８１・・・フライアイレンズシート
１１ａ，４１ａ・・・フライアイレンズ
１１ｂ，１４ｂ，１６ｂ，２１ｂ・・・支持体
１２，４２・・・感光性粘着層
１３，４３・・・遮光層
１４，４４・・・拡散層
１４ａ，４４ａ・・・拡散剤層
１５，２２・・・ガラス板
１６，４６・・・ＡＧ・ＨＣ層
１６ａ，４６ａ・・・ハードコート剤
１７ａ，１７ｂ，１７ｃ，２３，４７ａ，４７ｂ，４７ｃ，５２・・・粘着層
１８，２４・・・樹脂板
２０、５０・・・フレネルレンズシート
２１ａ、５１ａ・・・フレネルレンズ
３０・・・プロジェクタ
４０・・・遮光層付フライアイレンズシート
４１ｂ，４４ｂ，４６ｂ，５１ｂ，８１ｂ・・・フィルム
４２ａ・・・集光部
４２ｂ・・・非集光部
４３ａ・・・透過部
４５，５３・・・基板
４８・・・黒色転写フィルム
４８ａ・・・黒色層
４８ｂ・・・支持基材
６０・・・接着剤
７１，９１，１０１・・・被加工物
７２，９２，１０３・・・母型
７３，９３・・・複製母型
７３ａ９３ａ，１０４ａ・・・導電化膜
７３ｂ，７４，９３ｂ，９４，１０４ｂ・・・金属メッキ層
７５，９５，１０４・・・賦型
７６，９６・・・紫外線硬化性樹脂
８２・・・凸状部
８３・・・ローラ
１０２・・・銀ペースト
【図１】
2007264570.tif 000003
【図２】
2007264570.tif 000004
【図３】
2007264570.tif 000005
【図４】
2007264570.tif 000006
【図５】
2007264570.tif 000007
【図６】
2007264570.tif 000008
【図７】
2007264570.tif 000009
【図８】
2007264570.tif 000010
【図９】
2007264570.tif 000011
【図１０】
2007264570.tif 000012
【図１１】
2007264570.tif 000013
【図１２】
2007264570.tif 000014
【図１３】
2007264570.tif 000015
【図１４】
2007264570.tif 000016
【図１５】
2007264570.tif 000017
【図１６】
2007264570.tif 000018
【図１７】
2007264570.tif 000019
【図１８】
2007264570.tif 000020
【図１９】
2007264570.tif 000021
【図２０】
2007264570.tif 000022
【図２１】
2007264570.tif 000023
【図２２】
2007264570.tif 000024
【図２３】
2007264570.tif 000025
【図２４】
2007264570.tif 000026
【図２５】
2007264570.tif 000027
【図２６】
2007264570.tif 000028
【図２７】
2007264570.tif 000029
【図２８】
2007264570.tif 000030
【図２９】
2007264570.tif 000031
【図３０】
2007264570.tif 000032
【図３１】
2007264570.tif 000033
【図３２】
2007264570.tif 000034
【図３３】
2007264570.tif 000035